(57)【要約】【課題】全国瞬時警報システムを導入していない場合には、緊急地震速報や津波警報の情報を聞くことができず、戸別受信機では、親局設備からの通報信号であるか、全国瞬時警報の通報信号であるかの区別ができない。このため、戸別受信機では、全国瞬時警報の時のみ特別な制御（他の機器の遠隔操作など）を行うことができない。本発明は、どのような市町村防災行線無線システムであっても、全国瞬時警報の通報信号を識別でき、受信及び出力することができる戸別受信機を提供する。【解決手段】戸別受信機にラジオ機能と緊急警報放送復調部を付加し、親局設備から子局設備に送信される信号に、全国瞬時警報であるという情報を付加し、戸別受信機の受信者が認識できるようにし、親局設備からの通報信号であるか、全国瞬時警報の通報信号であるかの区別ができるようにした。【選択図】図１
2010035094.tif 000002
【特許請求の範囲】
【請求項１】
防災無線システムの戸別受信機において、ラジオチューナと緊急警報復調手段を備え、ラジオチューナが緊急警報信号を受信した場合に緊急警報内容を音声出力することを特徴とする戸別受信機。
【発明の詳細な説明】
【技術分野】
【０００１】
本発明は、市町村防災無線システムにおける戸別受信機に関する。
【背景技術】
【０００２】
図５は、従来の町村防災無線で使用する戸別受信機の構成の一例を示すブロック図である。３４は戸別受信機、３５は受信部、１はアンテナ、２は受信部３５の受信回路部、３は受信部３５の復調部、４は受信部３５のマイコン、５は受信部３５のスケルチ回路部、６は受信部３５のオーディオアンプ部、７はスピーカを示す。
戸別受信機３４が、親局から出力される通報信号を受信し、音声を出力する場合の動作を、図５によって説明する。戸別受信機３４において、アンテナ１は、親局から放送された信号を受信し、受信回路部２に出力する。受信回路部２は、入力された信号を復調し、復調部３とスケルチ回路部５に出力する。復調部３は、復調された信号をデジタルセレコール信号へ変換し、マイコン４に出力する。マイコン４は、入力されたデジタルセレコール信号に基づいてスケルチ回路部５を制御し、スケルチ回路部５は、スケルチ動作を行って、マイコン４からの制御によって復調された信号から不要な音を除去した音声信号に変換してオーディオアンプ部６に出力する。オーディオアンプ部６は、入力された音声信号を増幅し、スピーカ７に出力する。スピーカ７は、入力された音声信号を音声として出力する。
【０００３】
図６は、従来の市町村防災無線システムの構成の一例を説明するためのブロック図である。２１は親局設備、２２は受信部、２３は復調部、２４は防災情報信号生成部、２５は操作卓、２６は無線機、３４は戸別受信機、３５は戸別受信機の受信部、７はスピーカを示す。
図６の市町村防災無線システムにおいて、全国瞬時警報の通報信号を送信する場合について説明する。まず衛星経由で、全国瞬時警報信号が放送されると、親局設備２１の受信部２２は、この全国瞬時警報信号を受信し、復調部２３に出力する。復調部２３は、入力された信号を復号した後、防災情報信号生成部２４に出力する。防災情報信号生成部２４は、防災情報を生成し、全国瞬時警報の通報信号を放送信号として操作卓２５に出力する。操作卓２５は入力された全国瞬時警報の通報信号を無線機２６を通して戸別受信機３４に送信する。
戸別受信機３４では、防災情報は、戸別受信機３４のアンテナ１を介して受信部３５において受信され、これを音声に変換しスピーカ７により通報する。この戸別受信機３４は施設や各家庭に配置され、利用者は通報を受けることにより全国瞬時警報の情報を取得することができる。
【０００４】
なお、上述の方式は、大規模災害や武力攻撃等の緊急事態の発生に備えるために、全国瞬時警報システム（ J-ALERT ）を用いて、総務省消防庁から通信衛星を利用して、市町村等の地方公共団体の市町村防災行政無線システムを自動的に起動させ、それらの緊急情報を瞬時に関連する住民に伝達するシステムである。
また総務省消防庁からの、緊急情報をデジタル放送によって、視聴者である住民に伝達する技術が、例えば、特許文献１に開示されている。
【０００５】
【特許文献１】特開２００６−２４５６５２号公報
【発明の開示】
【発明が解決しようとする課題】
【０００６】
上述の従来の方式では、全国瞬時警報システム（ J-ALERT ）を導入していない地方公共団体では、総務省消防庁より送信される緊急地震速報や津波警報等の全国瞬時警報の情報を聞くことができないという問題があった。
また、戸別受信機では、親局設備からの通報信号であるか、全国瞬時警報の通報信号であるかの区別ができない。この区別ができないため、戸別受信機においては、全国瞬時警報の時のみ特別な制御（他の機器の遠隔操作など）を行うことができないという問題があった。
本発明は、上記のような問題に鑑み、どのような市町村防災行線無線システムであっても、全国瞬時警報の通報信号を識別でき、受信及び出力することができる。そしてまた、全国瞬時警報の時のみ特別な制御を行うことができる戸別受信機を提供することを目的とする。
【課題を解決するための手段】
【０００７】
上述の目的を達成するため、本発明の戸別受信機は、防災無線システムの戸別受信機において、ラジオチューナと緊急警報復調手段を備え、ラジオチューナが緊急警報信号を受信した場合に緊急警報内容を音声出力するものである。
また、親局設備から子局設備に送信される信号に、全国瞬時警報であるという情報を付加し、戸別受信機の受信者が認識できるようにし、親局設備からの通報信号であるか、全国瞬時警報の通報信号であるかの区別ができるようにしたものである。そして更に、戸別受信機に遠隔操作部を付加したものである。
【発明の効果】
【０００８】
本発明によれば、全ての戸別受信機で気象庁より送信される緊急地震速報や津波警報等の全国瞬時警報の情報を受信することができる。
また、戸別受信機の受信者は、各種ある通報の中から、全国瞬時警報を特定することができる。
更に、全国瞬時警報である場合に、受信者は、戸別受信機等を介して住宅及び施設の、照明、家電製品、及びバスユニット等の電気的に制御される機器を制御することができる。
【発明を実施するための最良の形態】
【０００９】
本発明は、親局設備と戸別受信機から構成される市町村防災無線システムの戸別受信機において、戸別受信機にラジオ部と緊急警報放送復調部を付加し、消防庁から放送される全国瞬時警報信号を親局設備が受信して、戸別受信機に同報通信した場合には、ラジオ部が自動的に起動し、例えば、緊急地震速報、地震津波警報の詳細状況や避難行動等の情報を得ることができる市町村防災無線システムの戸別受信機である。
また、上記本発明の市町村防災無線システムの戸別受信機において、戸別受信機が全国瞬時警報信号を受信した場合には、当該戸別受信機を介して、住宅又は施設の、照明、エアコン、及び監視システム、等の電気製品、並びに、温水器、バスユニット、等の電気的に制御される機器を遠隔操作によって制御することが可能な戸別受信機である。
更に、上記本発明の市町村防災無線システムの戸別受信機において、子局設備である戸別受信機が、通常通報に使用される信号と全国瞬時警報システム（ J-ALERT ）に使用される信号の分別ができる戸別受信機である。
【００１０】
以下、添付図面を参照しながら本発明の実施形態を詳細に説明する。なお、各図の説明において、共通な機能を有する構成要素には同一の参照番号を付し、できるだけ説明の重複を避ける。
【実施例１】
【００１１】
以下に本発明の一実施例を図１によって説明する。図１は、本発明の戸別受信機の一実施例の構成を示すブロック図である。図５と同一部分は同一の符号を用いている。また、２′は受信回路部、８は切替部、９はラジオチューナ、１０は緊急警報放送復調部、３１は戸別受信機、３２は受信部を示す。
図１の戸別受信機３１において、アンテナ１は、親局から放送された信号を受信し、切替部８に出力する。切替部８は、通常の場合は、受信設定無しとして、アンテナ１が受信した信号を受信回路部２′に出力する。受信回路部２′は入力された信号を復調し、緊急警報フラグがあるか否かを判定し、緊急警報フラグが検出された時には、切替部８の制御端子に制御信号を出力してアンテナ１が受信した信号をラジオチューナ９に出力するように制御する。また、受信回路部２′は入力された信号を復調した場合に、緊急警報フラグが検出されなかった時には、復調した信号を復調部３とスケルチ回路部５に出力する。以下の動作は、図５で説明した通りである。
【００１２】
さて、アンテナ１が受信した全国瞬時警報の通報信号が切替部８を介してラジオチューナ９に入力される場合には、まず、受信した緊急警報信号（全国瞬時警報の通報信号）は、ラジオチューナ９から緊急警報放送復調部１０に出力される。緊急警報放送復調部１０は、緊急警報信号を復調し、ラジオチューナ９で予め選局している番組が自動的に起動する。
これによって、ラジオチューナ９は、緊急地地震速報や津波警報等の緊急警報の情報を音声信号に変換して、オーディオアンプ部６とスピーカ７を通して音声出力するので、戸別受信機３１の受信者は、緊急警報を聞くことができる。
また、切替スイッチ８で強制的に防災受信専用と緊急警報速報専用に切り分けでき放送を聞くことができる。
【００１３】
図２のフローチャートを参照して、本発明の戸別受信機の動作の一実施例について説明する。
次に示す、スイッチ設定により受信する種別を予め設定できる。
受信設定無ステップ１０１、防災無線もしくは緊急警報の信号の何れか受信した場合に音声出力する。
防災無線受信設定ステップ１０２、防災無線のみ音声出力する。
緊急警報受信設定ステップ１０３、緊急讐報のみ音声出力する。
【００１４】
受信設定無ステップ１０１の場合、ステップ１０４にて緊急警戒信号（ EWS：Emergency Warning System ）か判定し、緊急警戒信号であれば、ステップ１０５にて緊急警戒信号を解析し、
ステップ１０６でラジオチューナ９を起動する。
ラジオチューナ９の起動後、ステップ１０７で緊急警戒信号を受信し、ステップ１０８でスピーカ７から出力する。
また、ステップ１０４で、緊急警戒信号ではなく防災無線信号であれば、防災無線受信後、ステップ１０９で着信処理し、ステップ１１０でＭＳＫ（ Minimum Shift Keying ）信号を受信する。
その後、ステップ１１１でＭＳＫデータ処理を行い、ステップ１１２で放送準備処理し、ステップ１０８でスピーカ出力する。
【００１５】
受信設定無の場合は、随時、防災無線信号及ぴ緊急警報信号を受け付けることができる。
また、ステップ１０２で防災無線受信設定または、ステップ１０３で緊急警報受信設定と固定にした場合は各々の信号のみ受信することができる。
【実施例２】
【００１６】
以下に本発明の一実施例を図３により説明する。図３は、本発明の戸別受信機を使った市町村防災無線システムの一実施例の構成を示すブロック図である。図６と同一部分は同記号を用いている。３１は戸別受信機、３３は遠隔操作部を示す。
図３において、衛星経由で全国瞬時警報信号が放送されると、親局設備２１の受信部２２は、この全国瞬時警報信号を受信し、復調部２３に出力する。復調部２３は、入力された信号を復号した後、防災情報信号生成部２４に出力する。防災情報信号生成部２４は、全国瞬時警報の情報を付加した防災情報を生成し、放送信号として操作卓２５に出力する。操作卓２５は入力された全国瞬時警報の情報を付加した放送信号を無線機２６を通して戸別受信機３４に送信する。
戸別受信機３１は、この防災情報をアンテナ１を介して受信部３２から受信し、これを音声に変換しスピーカ７により通報する。全国瞬時警報と特定できる信号を受信した戸別受信機３１は、遠隔操作部３３を動作させ、施設や各家庭に配置された住宅及び施設の、照明、家電製品、及びバスユニット等の電気的に制御される機器を制御する。
【００１７】
次に、どのようなフォーマットでどのデータに情報を付加するかを図４で説明する。
フォーマットは市町村デジタル回報通信システムにおける標準規格（ ARIB STANDARD ）で決められたフォーマットを使用する。市町村デジタル同報通信システムでは通報開始時に親局から子局に向けて通報開始指示となるデータが送られる。このフォーマットを図４に示す。（ ARIB STANDARD 抜粋）そしてこのデータフォーマットを使用し、子局識別番号２の部分に全国瞬時警報であるという情報を付与する。この子局識別番号２の部分は、全国瞬時警報時は使用されていない余りとなっている情報領域のため、この部分を使用する。
【００１８】
上記実施例によれば、全国瞬時警報システム（ J-ALERT ）を導入していない市町村でも、気象庁より送信される情報を聞くことができる。
更に、市町村防災無線システムにおける全国瞬時警報に対して、戸別受信機から特別な処置を行うことができるようになる。
【図面の簡単な説明】
【００１９】
【図１】本発明の市町村防災無線で使用する戸別受信機の構成の一実施例を示すブロック図。
【図２】本発明の戸別受信機の処理の一実施例のフローチャート。
【図３】本発明の戸別受信機を使った市町村防災無線システムの一実施例の構成を示すブロック図。
【図４】通報開始指示フォーマットを示す図。
【図５】従来の市町村防災無線で使用する戸別受信機の構成の一例を示すブロック図。
【図６】従来の市町村防災無線システムの構成の一例を説明するためのブロック図。
【符号の説明】
【００２０】
１：アンテナ、  ２、２′：受信回路部、  ３：復調部、  ４：マイコン、  ５：スケルチ回路部、  ６：オーディオアンプ部、  ７：スピーカ、  ８：切替部、  ９：ラジオチューナ、  １０：緊急警報放送復調部、  １２：戸別受信機、  ２１：親局設備、  ２２：受信部、  ２３：復調部、  ２４：防災情報信号生成部、  ２５：操作卓、  ２６：無線機、３２：受信部、  ３３：遠隔操作部、  ３４：戸別受信機、  ３５：受信部。
【図１】
2010035094.tif 000003
【図２】
2010035094.tif 000004
【図３】
2010035094.tif 000005
【図４】
2010035094.tif 000006
【図５】
2010035094.tif 000007
【図６】
2010035094.tif 000008